(57)【要約】【課題】  従来において、ビットマップデータを生成し印刷物が出力するまでオペレータが待ちきれずに装置から立ち去った際に、オペレータ以外の第３者に印刷物が不正に持ち去られることを防止するようにする。【解決手段】  ビットマップデータ生成部１０２ｆは、ＩＣカードが装着されていることがＩＣカード検出部１０１ａにより検出されると、上位装置から受信した認証印刷ジョブを形成する印刷ジョブデータのビットマップデータを生成する。その後、印刷部１０２ｉは、ＩＣカードが装着されていることがＩＣカード検出部１０１ａにより再度検出されると、ビットマップデータ記憶部１０２ｇに記憶されているビットマップデータ生成部１０２ｆにより生成されたビットマップデータに基づき印刷依頼人が依頼した印刷を行う。【選択図】    図１
2008246869.tif 000002
【特許請求の範囲】
【請求項１】
入力された画像情報と、該画像情報に対応付けて入力された認証情報とに基づいて画像を形成する画像形成装置において、
前記認証情報が記憶されているＩＣカードが装着されていることを検出する装着検出手段と、
前記ＩＣカードが装着されていることが前記装着検出手段により検出されると、入力された前記画像情報のビットマップデータを生成するビットマップデータ生成手段と、
前記ビットマップデータ生成手段により前記ビットマップデータが生成されたのち、前記ＩＣカードが装着されていることが前記装着検出手段により再度検出されると、該ビットマップデータの印刷を行う印刷手段と
を備えることを特徴とする画像形成装置。
【請求項２】
前記ＩＣカードに記憶されている認証情報を記憶する認証情報記憶手段と、
前記ビットマップデータを記憶するビットマップデータ記憶手段と、
入力された前記画像情報に記述されている認証情報を記憶する記述認証情報記憶手段と
前記ビットマップデータ生成手段により前記ビットマップデータを生成したのち、前記ＩＣカードが装着されていることが前記装着検出手段により再度検出されると、前記認証情報記憶手段に記憶されている認証情報と、前記記述認証情報記憶手段に記憶されている前記認証情報とが一致するか否かを判定する認証情報一致判定手段と
を更に備え、
前記印刷手段は、
前記認証情報一致判定手段により、前記認証情報記憶手段に記憶されている認証情報と、前記記述認証情報記憶手段に記憶されている前記認証情報とが一致すると判定された場合には、前記ビットマップデータ記憶手段に記憶されている前記ビットマップデータの印刷を行うことを特徴とする請求項１記載の画像形成装置。
【請求項３】
入力された画像情報を記憶する画像情報記憶手段と、
前記画像情報記憶手段に記憶されている前記画像情報を検索し、該画像情報に記述されている認証情報を読み取り、該認証情報を前記記述認証情報記憶手段に書き込む記述認証情報書込手段と、
前記ＩＣカードが装着されていることが前記装着検出手段により検出されると、該ＩＣカードに記憶されている前記認証情報を読み取り、該認証情報を前記認証情報記憶手段に書き込む認証情報読取・書込手段と
を更に備え、
前記認証情報一致判定手段は、
前記ビットマップデータ生成手段により前記ビットマップデータが生成されたのち、前記ＩＣカードが装着されていることが前記装着検出手段により再度検出されると、前記認証情報記憶手段に記憶されている認証情報と、前記記述認証情報記憶手段に記憶されている認証情報とが一致するか否かを判定することを特徴とする請求項２記載の画像形成装置。
【請求項４】
前記ビットマップデータ記憶手段から退避されたビットマップデータを記憶する退避ビットマップデータ記憶手段と、
前記認証情報記憶手段から退避する認証情報を記憶する退避認証情報記憶手段と
を更に備え、
前記認証情報一致判定手段は、
前記記述認証情報記憶手段に記憶されている前記認証情報と、前記退避認証情報記憶手段に記憶されている認証情報とが一致するか否かを更に判定し、
前記印刷手段は、
前記認証情報一致判定手段により、前記記述認証情報記憶手段に記憶されている前記認証情報と、前記退避認証情報記憶手段に記憶されている前記認証情報とが一致すると判定された場合には、前記退避ビットマップデータ記憶手段に記憶されているビットマップデータの印刷を行うことを特徴とする請求項３記載の画像形成装置。
【請求項５】
前記認証情報一致判定手段により、前記認証情報記憶手段に記憶されている認証情報と、前記記述認証情報記憶手段に記憶されている認証情報とが不一致であると判定された場合には、前記ビットマップデータ記憶手段に記憶されているビットマップデータを前記退避ビットマップデータ記憶手段に退避させるとともに、前記認証情報記憶手段に記憶されている認証情報を前記退避認証情報記憶手段に退避させる退避手段と
を更に備えことを特徴とする請求項４記載の画像形成装置。
【請求項６】
前記ＩＣカードの読み取り要求を示すＩＣカード読取要求表示画面を表示するＩＣカード読取要求表示画面表示手段と、
前記装着検出手段により、前記ＩＣカードが装着されていることが検出されると、予め決められた時間を計時する第１計時手段と、
前記装着検出手段により、前記ＩＣカードが装着されていることが検出されたのち、再度、前記ＩＣカードが装着されていることが検出されまでに、前記第１計時手段が前記決められた時間を計時すると、前記ＩＣカード読取要求表示画面を前記ＩＣカード読取要求表示画面表示手段に表示させるＩＣカード読取要求表示画面表示制御手段と
を備える請求項１乃至５のいずれかに記載の画像形成装置。
【請求項７】
前記画像情報が未受信であることを示す画像情報未受信表示画面を表示する未受信表示画面表示手段と、
前記装着検出手段により、前記ＩＣカードが装着されていることが検出されると、予め決められた時間を計時する第２計時手段と、
前記装着検出手段により、前記ＩＣカードが装着されていることが検出されたのち、前記ビットマップデータ生成手段により、前記ビットマップデータを生成するまでに、前記第２計時手段が前記決められた時間を計時すると、前記画像情報未受信表示画面を前記未受信表示画面表示手段に表示させる未受信表示画面表示制御手段と
を更に備える請求項１乃至６のいずれかに記載の画像形成装置。
【発明の詳細な説明】
【技術分野】
【０００１】
本発明は、上位装置から印刷依頼人の認証情報が記述された印刷ジョブが送信されたのち、印刷依頼人の認証情報が入力されてはじめて印字を開始する画像形成装置に関する。
【背景技術】
【０００２】
印刷依頼したオペレータ以外の第３者に印刷物が不正に搬出されるのを防止する、いわゆる認証印刷を行う画像形成装置が、例えば特許文献１において開示されている。この文献１の画像形成装置を用いてオペレータが認証印刷を行うには、まず、オペレータは、パーソナルコンピュータ等の上位装置から画像形成装置に対し、オペレータを特定する例えばパスワード等の認証情報が記述された印刷ジョブデータからなる印刷ジョブを送信する。その後、オペレータは、画像形成装置まで出向き、画像形成装置に設けられている操作パネルから前述の認証情報を入力する。このような操作がオペレータにより行われたのち、画像形成装置は、印刷ジョブデータに記述されている認証情報と操作パネルから入力された認証情報とが一致するか否かを判定し、両者が一致するときには、印刷依頼された印刷ジョブについての印刷を開始する。
【特許文献１】特開２００４−２４９６２５号公報
【発明の開示】
【発明が解決しようとする課題】
【０００３】
しかしながら、上述した従来の画像形成装置では、認証情報が入力されてから印刷ジョブを形成する印刷ジョブデータに埋め込まれている描画データから印刷可能なビットマップデータを生成していないため、特に印刷データ量が大量の場合には印刷を開始するまでにデータを生成するまでに時間を要する。このため、印刷依頼したオペレータが印刷物の出力を開始するまで待ちきれず、画像形成装置から離れてしまう場合が多々あった。この場合、
画像形成装置の出力済みの印刷物をオペレータ以外の第３者が不正に持ち去る虞があるという問題点があった。
【０００４】
本発明は上述した問題点に鑑み、認証印刷において、印刷依頼したオペレータが装置に出向いているときに、上位装置から送信されてきた印刷ジョブの印刷を開始させることにより、従来において、ビットマップデータを生成し印刷物が出力するまでオペレータが待ちきれずに装置から立ち去った際に、オペレータ以外の第３者に印刷物が不正に持ち去られることを防止することが可能な画像形成装置を提供することを目的とする。
【課題を解決するための手段】
【０００５】
前述の課題を解決するため、請求項１記載の発明は、入力された画像情報と、該画像情報に対応付けて入力された認証情報とに基づいて画像を形成する画像形成装置において、前記認証情報が記憶されているＩＣカードが装着されていることを検出する装着検出手段と、前記ＩＣカードが装着されていることが前記装着検出手段により検出されると、入力された前記画像情報のビットマップデータを生成するビットマップデータ生成手段と、前記ビットマップデータ生成手段により前記ビットマップデータが生成されたのち、前記ＩＣカードが装着されていることが前記装着検出手段により再度検出されると、該ビットマップデータの印刷を行う印刷手段とを備える。
【０００６】
この構成によれば、ビットマップデータ生成手段によりビットマップデータが生成されたのち、ＩＣカードが装着されていることが再度検出されると、印刷手段が、生成されたビットマップデータに基づき印刷依頼人が依頼した印刷を行うので、印刷が開始したときには印刷依頼人が常に装置の付近にいることになる。従って、印刷ジョブデータに埋め込まれている描画データから印刷可能なビットマップデータを生成して印刷を開始する間に、印刷依頼人が印刷を開始し始めるまで待ちきれずに装置から離れることがなくなり、印刷物が印刷依頼人以外の第３者に持ち去られることを防止することができる。
【発明の効果】
【０００７】
本発明によれば、認証印刷において、印刷依頼したオペレータが装置に出向いているときに、上位装置から送信されてきた印刷ジョブの印刷を開始させることにより、従来において、ビットマップデータを生成し印刷物が出力するまでオペレータが待ちきれずに装置から立ち去った際に、オペレータ以外の第３者に印刷物が不正に持ち去られることを防止することができる。
【発明を実施するための最良の形態】
【０００８】
次に、本発明を実施するための最良の形態を説明する。
【実施例１】
【０００９】
図１は、本発明に係る実施例１の画像形成装置の構成を示すブロック図である。この画像形成装置１０は電子写真プリンタであって、図２に示すように、ＬＡＮ（Ｌｏｃａｌ  Ａｒｅａ  Ｎｅｔｗｏｒｋ）５０を介して上位装置としての複数のパーソナルコンピュータ（以下、ＰＣという）３０と接続され、カードリーダ１１及びオペレーションパネル１２とが設けられている。カードリーダ１１は、ＩＣカード２０と無線通信することにより、ＩＣカード２０の中に記憶されているオペレータを識別するためのＩＤ（ＩＤｅｎｔｉｆｉｃａｔｉｏｎ）番号を読み出す。このＩＤ番号は、４桁のユニークな数字で、認証情報として用いられる情報である。
【００１０】
この画像形成装置は、図１に示すように、カード操作処理部１０１と、印刷ジョブ処理部１０２と、システム処理部１０３とを備えている。カード操作処理部１０１には、ＩＣカード検出部１０１ａ、ＩＤ読取部１０１ｂ、及び、ＩＤ記憶部１０１ｃを有している。また、印刷ジョブ処理部１０２には、ジョブ受信部１０２ａ、ジョブ記憶部１０２ｂ、ジョブ検索部１０２ｃ、記述認証情報記憶部１０２ｄ、
１回目読取情報記憶部１０２ｅ、ビットマップデータ生成部１０２ｆ、ビットマップデータ記憶部１０２ｇ、印刷判定部１０２ｈ、及び印刷部１０２ｉを有している。また、システム処理部１０３には、オペレーションパネル表示制御部（以下、オペパネ表示制御部という）１０３ａ、第１タイマ１０３ｂ、及び、第２タイマ１０３ｃを有している。
【００１１】
ここで、ＩＣカード検出部１０１ａ、ＩＤ読取部１０１ｂ、ジョブ受信部１０２ａ、ジョブ検索部１０２ｃ、ビットマップデータ生成部１０２ｆ、印刷判定部１０２ｈ、及び、オペパネ表示制御部１０３ａは、図示しないＣＰＵが図示しないＲＯＭに記憶されている制御プログラムを実行することにより生成され、下記に示すような機能を有する。
【００１２】
カード操作処理部１０１のＩＣカード検出部１０１ａは、ＩＣカード２０がカードリーダ１１に装着されているか否かの１回目のチェックを、ＩＣカード２０とカードリーダ１１との間で通信があるか否かでチェックする。ＩＣカード検出部１０１ａは、ＩＣカード２０がカードリーダ１１に装着された場合には、システム処理部１０３の第１タイマ１０３ｂ及び第２タイマ１０３ｃに時間の計時を開始させる指示を出力するとともに、ＩＤ読取部１０１ｂ、並びに、印刷ジョブ処理部１０２のビットマップデータ生成部１０２ｆにＩＣカード２０がカードリーダ１１に装着されていることを示す１回目の通知を出力する。
【００１３】
また、ＩＣカード検出部１０１ａは、１回目の通知を出力したのち、ＩＣカード２０がカードリーダ１１に装着されたか否かの２回目のチェックを、１回目のチェックと同様にして行い、ＩＣカード２０がカードリーダ１１に装着された場合には、印刷ジョブ処理部１０２の印刷判定部１０２ｈに対し、ＩＣカード２０がカードリーダ１１に装着されたことを示す２回目の通知を出力する。
【００１４】
ＩＤ読取部１０１ｂは、ＩＣカード検出部１０１ａから１回目の通知が入力されると、カードリーダ１１を介してＩＣカード２０のＩＤ記憶部（後述する）に記憶されているＩＤ番号を読み出す。そして、ＩＤ読取部１０１ｂは、読み出したＩＤ番号をＩＤ記憶部１０１ｃに書き込む。
【００１５】
ＩＤ記憶部１０１ｃは、ＩＣカード２０から読み出されたＩＤ番号を記憶する。
【００１６】
印刷ジョブ処理部１０２に有するジョブ受信部１０２ａは、ＬＡＮ５０を介してＰＣ３０から認証印刷するための印刷ジョブ（以下、単に認証印刷ジョブという）を形成する印刷ジョブデータを随時受信し、この受信した印刷ジョブデータをジョブ記憶部１０２ｂに随時記憶させる。
【００１７】
ジョブ記憶部１０２ｂは、ハードディスク装置で構成され、ジョブ受信部１０２ａが受信した印刷ジョブデータを随時記憶する。
【００１８】
ジョブ検索部１０２ｃは、ジョブ記憶部１０２ｂに記憶されている印刷ジョブを形成する印刷ジョブデータを検索し、印刷ジョブデータに記述されている認証情報を読み取り、この認証情報を記述認証情報記憶部１０２ｄに記憶する。
【００１９】
記述認証情報記憶部１０２ｄは、図示せぬＲＡＭ内の領域に割り当てられ、装置３０から受信した印刷ジョブデータに記述されている認証情報を記憶する。
【００２０】
１回目読取情報記憶部１０２ｅは、図示せぬＲＡＭ内の領域に割り当てられ、装置３０に形成され、ＩＣカード２０がカードリーダ１１に１回目に読み取られたか否かを示すフラグを記憶する。このフラグ「１」のときには、ＩＣカード２０がカードリーダ１１に１回目に読み取られたことを示し、「０」のときには、ＩＣカード２０がカードリーダ１１に読み取られていないことを示している。
【００２１】
ビットマップデータ生成部１０２ｆは、１回目の通知がＩＣカード検出部１０１ａから入力されると、ジョブ記憶部１０２ｂに記憶されている認証印刷ジョブを形成する印刷ジョブデータを随時読み出し、この印刷ジョブデータのビットマップデータを生成し、生成したビットマップデータをビットマップデータ記憶部１０２ｇに書き込むとともに、印刷開始の準備が整ったことを示す通知を印刷判定部１０２ｈに出力する。
【００２２】
印刷判定部１０２ｈは、１回目の通知がＩＣカード検出部１０１ａから入力されると、１回目読取情報記憶部１０２ｅに記憶されているフラグが「０」の場合には、このフラグを「０」から「１」に書き換える。
【００２３】
また、印刷判定部１０２ｈは、ビットマップデータ生成部１０２ｆから印刷開始の準備が整ったことを示す通知が入力されたか否かを判定する。その結果、印刷判定部１０２ｈは、印刷開始の準備が整ったことを示す通知がビットマップデータ生成部１０２ｆから入力されたと判定した場合には、ＩＣカード検出部１０１ａに対して、ＩＣカード２０がカードリーダ１１に装着されたか否かの２回目のチェックを実施させる指示を出力する。
【００２４】
また、印刷判定部１０２ｈは、印刷開始の準備が整ったことを示す通知がビットマップデータ生成部１０２ｆから入力されていないと判定した場合には、タイムアップした旨の通知が第２タイマ１０３ｃから入力されたか否かを判定する。印刷判定部１０２ｈは、タイムアップした旨の通知が第２タイマ１０３ｃから入力されたと判定した場合には、図３（ｃ）に示すジョブ未受信表示画面を表示させる指示をシステム処理部１０３のオペパネ表示制御部１０３ａに出力する。
【００２５】
また、印刷判定部１０２ｈは、ＩＣカード検出部１０１ａから２回目の通知が入力されると、１回目読取情報記憶部１０２ｅに記憶されているフラグが「１」であることを確認したのち、カード操作処理部１０１のＩＤ記憶部１０１ｃに記憶されているＩＤ番号と、記述認証情報記憶部１０２ｄに記憶されているＩＤ番号とを読み出す。そして、印刷判定部１０２ｈは、両者が一致するか否かを判定する。印刷判定部１０２ｈは、両者が一致すると判定した場合には、印刷の開始を要求する指示を印刷部１０２ｉに出力する。
【００２６】
印刷部１０２ｉは、印刷判定部１０２ｈから印刷の開始を要求する指示が入力されると、ビットマップデータ記憶部１０２ｇに記憶されている認証印刷ジョブを形成する印刷ジョブデータのビットマップデータを随時読み出し、このビットマップデータに基づき印刷媒体にオペレータが依頼した印刷を開始する。
【００２７】
オペパネ表示制御部１０３ａは、印刷判定部１０２ｈからジョブ未受信表示画面を表示させる指示が入力されると、図３（ｃ）に示すジョブ未受信表示画面をオペレーションパネル１２に表示させる。また、オペパネ表示制御部１０３ａは、ＩＣカード検出部１０１ａからＩＣカード読取要求表示画面を表示させる指示が入力されると、オペレーションパネル１２に、図３（ｂ）に示すＩＣカード読取要求表示画面を表示させる。なお、オペパネ表示制御部１０３ａは、オペレーションパネル１２にジョブ未受信表示画面及びＩＣカード読取要求表示画面を表示させていない場合には、図３（ａ）に示すオンライン表示画面が表示させている。
【００２８】
第１タイマ１０３ｂ及び第２タイマ１０３ｃは、ＩＣカード検出部１０１ａから計時を開始させる指示が入力されると、それぞれ予め決められた時間の計時を開始する。
【００２９】
図４は、ＩＣカードの構成を示すブロック図である。図４に示すように、ＩＣカード２０は、ＩＤ記憶部２０１と、コントローラ２０２と、アンテナ２０３とを備える。ＩＤ記憶部２０１はＩＤ番号を記憶する。ここで、ＩＤ番号は、上述したように、４桁のユニークな数字からなり、これは認証情報として用いられる。従って、このＩＤ番号は、ＩＣカードにとってカード固有の番号である。
【００３０】
コントローラ２０２は、アンテナ２０３を介して、ＩＤ番号を読み出させる指示をカードリーダ１１から受信すると、ＩＤ記憶部２０１に記憶されているＩＤ番号を読み出し、アンテナ２０３を介して読み出したＩＤ番号をカードリーダ１１に送信する。
【００３１】
アンテナ２０３は、ＩＤ番号を読み出させる指示をカードリーダ１１から無線により受信し、この受信した指示をコントローラ２０２に出力する。また、アンテナ２０３は、コントローラ２０２からＩＤ番号が入力されると、このＩＤ番号を無線によりカードリーダ１１に送信する。
【００３２】
次に、本発明に係る実施例１の画像形成装置の動作を説明する。
【００３３】
図５は、本発明に係る実施例１の画像形成装置の動作を示すフローチャートである。まず、オペレータがＰＣ３０から認証情報としてのＩＤ番号が記述された認証印刷ジョブを、ＬＡＮ５０を介して実施例１の画像形成装置１０に送信すると、画像形成装置１０の印刷ジョブ処理部１０２に有するジョブ受信部１０２ａは、認証印刷ジョブを形成する印刷ジョブデータを随時受信し（ステップＳ１）、受信した印刷ジョブデータをジョブ記憶部１０２ｂに随時記憶させる（ステップＳ２）。
【００３４】
その後、カード操作処理部１０１の有するＩＣカード検出部１０１ａは、この画像形成装置１０に出向いたオペレータにより、ＩＣカード２０がカードリーダ１１に装着されているか否かの１回目のチェックを、ＩＣカード２０とカードリーダ１１との間で通信があるか否かを判定することで行う（ステップＳ３）。ＩＣカード検出部１０１ａは、１回目の判定として、ＩＣカード２０とカードリーダ１１との間で通信がないときには、ＩＣカード２０がカードリーダ１１に装着されていないものと判定し（ステップＳ３；Ｎ）、ＩＣカード２０がカードリーダ１１に装着させるまで待機する。
【００３５】
一方、ＩＣカード検出部１０１ａは、ＩＣカード２０とカードリーダ１１との間で通信があることを検出することで、ＩＣカード２０がカードリーダ１１に装着されていると判定した場合には（ステップＳ３；Ｙ）、システム処理部１０３の第１タイマ１０３ｂ及び第２タイマ１０３ｃに時間の計時を開始させる指示を出力する。その後、ＩＣカード検出部１０１ａは、ＩＤ読取部１０１ｂ、並びに、印刷ジョブ処理部１０２のビットマップデータ生成部１０２ｆ及び印刷判定部１０２ｈにＩＣカード２０がカードリーダ１１に装着されていることを示す１回目の通知を出力する。
【００３６】
第１タイマ１０３ｂ及び第２タイマ１０３ｃは、ＩＣカード検出部１０１ａから時間の計時を開始させる指示が入力されると、それぞれ予め決められた時間だけ時間の計時を開始する（ステップＳ４）。
【００３７】
ＩＤ読取部１０１ｂは、１回目の通知がＩＣカード検出部１０１ａから入力されると、カードリーダ１１を介してＩＣカード２０に記憶されているＩＤ番号を読み取り（ステップＳ５）、この読み取ったＩＤ番号をＩＤ記憶部１０１ｃに書き込む（ステップＳ６）。
【００３８】
印刷判定部１０２ｈは、１回目の通知がＩＣカード検出部１０１ａから入力されると、１回目読取情報記憶部１０２ｅに記憶されているこのフラグを「０」から「１」に書き換える。
【００３９】
ビットマップデータ生成部１０２ｆは、１回目の通知がＩＣカード検出部１０１ａから入力されると、ジョブ検索部１０２ｃに対してジョブ記憶部１０２ｂに記憶されている認証印刷ジョブを形成する複数の印刷ジョブデータの各々から印刷ジョブデータに記述されている認証情報を読み出させ、ＩＤ記憶部１０１ｃのＩＤ番号と認証情報が一致した印刷ジョブデータを随時読み出し、この印刷ジョブデータのビットマップデータを生成し、生成したビットマップデータをビットマップデータ記憶部１０２ｇに書き込み始め、ジョブ検索部１０２ｃに対してＩＤ番号と一致した認証情報を記述認証情報記憶部１０２ｄに記憶させる。
【００４０】
その後、印刷判定部１０２ｈは、ビットマップデータ生成部１０２ｆから印刷の準備が整った旨の通知が入力されたか否かを判定する（ステップＳ７）。印刷判定部１０２ｈは、印刷の準備が整った旨の通知がビットマップデータ生成部１０２ｆから入力されたと判定した場合には（ステップＳ７、Ｙ）、ＩＣカード検出部１０１ａに対して、ＩＣカード２０がカードリーダ１１に装着されたか否かの２回目のチェックを実施させる指示を出力する。
【００４１】
その後、ＩＣカード検出部１０１ａは、ＩＣカード２０がカードリーダ１１に装着されたか否かの２回目のチェックを、ＩＣカード２０とカードリーダ１１との間で通信があるか否かを判定して行う（ステップＳ８）。ＩＣカード検出部１０１ａは、２回目のチェックとして、ＩＣカード２０とカードリーダ１１との間で通信があるときには、ＩＣカード２０がカードリーダ１１に装着されたものと判定し（ステップＳ８；Ｙ）、印刷ジョブ処理部１０２の印刷判定部１０２ｈに対し、ＩＣカード２０がカードリーダ１１に装着されたことを示す２回目の通知を出力する。
【００４２】
ＩＤ読取部１０１ｂは、２回目の通知がＩＣカード検出部１０１ａから入力されると、カードリーダ１１を介してＩＣカード２０に記憶されているＩＤ番号を読み取り、この読み取ったＩＤ番号をＩＤ記憶部１０１ｃに書き込む。
【００４３】
印刷判定部１０２ｈは、ＩＣカード検出部１０１ａから２回目の通知が入力されると、１回目読取情報記憶部１０２ｅに記憶されているフラグが「１」であることを確認したのち、カード操作処理部１０１のＩＤ記憶部１０１ｃに記憶されているＩＤ番号と、記述認証情報記憶部１０２ｄに記憶されているＩＤ番号を読み出す（ステップＳ９）。
【００４４】
印刷判定部１０２ｈは、ＩＤ記憶部１０１ｃに記憶されているＩＤ番号と、記述認証情報記憶部１０２ｄに記憶されているＩＤ番号が一致するか否かを判定する（ステップＳ１０）。印刷判定部１０２ｈは、両者が一致していないと判定した場合には（ステップＳ１０；Ｎ）、システム処理部１０３に第１タイマ１０３ｂ及び第２タイマ１０３ｃに時間の計時を再起動させ、ステップＳ７に処理を移行し、上述したと同様な処理を続行させる。一方、印刷判定部１０２ｈは、ＩＤ記憶部１０１ｃに記憶されているＩＤ番号と、記述認証情報記憶部１０２ｄに記憶されているＩＤ番号が一致すると判定した場合には（ステップＳ１０；Ｙ）、印刷の開始を要求する指示を印刷部１０２ｉに出力する。
【００４５】
印刷部１０２ｉは、印刷判定部１０２ｈから前述の指示が入力されると、ビットマップデータ記憶部１０２ｇに記憶されている認証印刷ジョブを形成する印刷ジョブデータのビットマップデータを随時読み出し、このビットマップデータに基づきオペレータが印刷依頼した印刷を開始し（ステップＳ１１）、処理を終了する。
【００４６】
ステップＳ７において、印刷判定部１０２ｈは、印刷の準備が整った旨の通知がビットマップデータ生成部１０２ｆから入力されていないと判定した場合には（ステップＳ７、Ｎ）、タイムアップした旨の通知が第２タイマ１０３ｃから入力されたか否かを判定する（ステップＳ１２）。印刷判定部１０２ｈは、タイムアップした旨の通知が第２タイマ１０３ｃから入力されていないと判定した場合には（ステップＳ１２；Ｎ）、ステップＳ７に処理を移行し、上述したと同様な処理を続行させる。一方、印刷判定部１０２ｈは、タイムアップした旨の通知が第２タイマ１０３ｃから入力されたと判定した場合には（ステップＳ１２；Ｙ）、ジョブ未受信表示画面を表示させる指示をシステム処理部１０３のオペパネ表示制御部１０３ａに出力する。
【００４７】
オペパネ表示制御部１０３ａは、印刷判定部１０２ｈから前述の指示が入力されると、図３（ｃ）に示すジョブ未受信表示画面をオペレーションパネル１２に表示させ（ステップＳ１４）、処理を終了させる。
【００４８】
ステップＳ８において、ＩＣカード検出部１０１ａは、２回目のチェックとして、ＩＣカード２０とカードリーダ１１との間で通信がないときには、ＩＣカード２０がカードリーダ１１に装着されていないものと判定し（ステップＳ８；Ｎ）、ＩＣカード読取要求表示画面を表示させる指示をシステム処理部１０３のオペパネ表示制御部１０３ａに出力する。
【００４９】
オペパネ表示制御部１０３ａは、ＩＣカード検出部１０１ａから前述の指示が入力されると、オペレーションパネル１２に図３（ｂ）に示すＩＣカード読取要求表示画面を表示させる（ステップＳ１４）。
【００５０】
ＩＣカード検出部１０１ａは、ＩＣカード読取要求表示画面を表示させる指示をシステム処理部１０３のオペパネ表示制御部１０３ａに出力したのち、システム処理部１０３の第１タイマ１０３ｂからタイムアウトした旨の通知が入力されたか否かを判定する（ステップＳ１５）。ＩＣカード検出部１０１ａは、第１タイマ１０３ｂからタイムアウトした旨の通知が入力されていないと判定した場合には（ステップＳ１５；Ｎ）、ステップＳ８に処理を移行し、上述したと同様な処理を続行する。一方、ＩＣカード検出部１０１ａは、第１タイマ１０３ｂからタイムアウトした旨の通知が入力されたと判定した場合には（ステップＳ１５；Ｙ）、処理を終了させる。
【００５１】
実施例１によれば、ＩＤ記憶部１０１ｃに記憶されている認証情報としてのＩＤ番号と、記述認証情報記憶部１０２ｄに記憶されている認証情報とが一致すると、印刷判定部１０２ｈにより判定された場合には、印刷部１０２ｉが、ビットマップデータ記憶部１０２ｇに記憶されているビットマップデータに基づき、オペレータにより印刷依頼された印刷を開始する。従って、印刷ジョブデータに埋め込まれている描画データから印刷可能なビットマップデータを生成する間に、オペレータが印刷を印字し始めるまで待ちきれずに装置から離れることがなくなり、印刷物がオペレータ以外の第３者に不正に持ち去られることを防止することができる。
【００５２】
また、実施例１によれば、ＩＣカード検出部１０１ａによりＩＣカード２０がカードリーダ１１装着されていることが検出されたのち、再度、ＩＣカード２０がカードリーダ１１装着されていることが検出されまでに第２タイマ１０３ｃがタイムアウトすると、オペパネ表示制御部１０３ａが、ＩＣカード２０の装着をオペレータ人に要求するＩＣカード読取要求表示画面をオペレーションパネル１２に表示させるので、オペレータが認証印刷を確実に実行することができる。
【００５３】
また、実施例１によれば、ＩＣカード検出部１０１ａ、ＩＣカード２０がカードリーダ１１に装着されていることが検出されたのち、ビットマップデータ生成部１０２ｆによりビットマップデータが生成されるまでに、第１タイマ１０３ｂがタイムアウトすると、オペパネ表示制御部１０３ａが、印刷依頼された認証印刷ジョブが未受信であることを示すジョブデータ未受信表示画面をオペレーションパネル１２に表示させるので、認証印刷を印刷依頼したのち、この印刷依頼が何かのトラブルで実行されなかったことによる無駄な時間を解消することができる。
【実施例２】
【００５４】
図６は、本発明に係る実施例２の画像形成装置の構成を示すブロック図である。この実施例２の画像形成装置１０は電子写真プリンタであって、実施例１の画像形成装置１０と同様、図７に示すように、ＬＡＮ５０を介して複数のＰＣ３０と接続され、装置自体にカードリーダ１１及びオペレーションパネル１２とが設けられている。
【００５５】
この実施例２の画像形成装置１０は、図６に示すように、カード操作処理部１０１と、印刷ジョブ処理部１０２と、システム処理部１０３とを備えている。カード操作処理部１０１には、ＩＣカード検出部１０１ａ、ＩＤ読取部２０１ｂ、ＩＤ記憶部２０１ｃ、退避ＩＤ記憶部２０１ｄ、及び、一時ＩＤ記憶部２０１ｅを有している。また、印刷ジョブ処理部１０２には、ジョブ受信部１０２ａ、ジョブ記憶部１０２ｂ、ジョブ検索部１０２ｃ、記述認証情報記憶部１０２ｄ、１回目読取情報記憶部１０２ｅ、ビットマップデータ生成部１０２ｆと、ビットマップデータ記憶部１０２ｇと、印刷判定部２０２ｈ、印刷部２０２ｉと、退避ビットマップデータ記憶部２０２ｊ、及びジョブ退避制御部２０２ｋとを有している。また、システム処理部１０３には、オペパネ表示制御部１０３ａ、第１タイマ１０３ｂ、及び、第２タイマ１０３ｃを有している。
【００５６】
ここで、ＩＣカード検出部１０１ａ、ＩＤ読取部２０１ｂ、ジョブ受信部１０２ａ、ジョブ検索部１０２ｃ、ビットマップデータ生成部１０２ｆ、印刷判定部２０２ｈ、ジョブ退避制御部２０２ｋ、及び、オペパネ表示制御部１０３ａは、図示しないＣＰＵが図示しないＲＯＭに記憶されている制御プログラムを実行することにより生成され、下記に示すような機能を有する。
【００５７】
カードリーダ１１、オペレーションパネル１２、ＩＣカード検出部１０１ａ、ジョブ受信部１０２ａ、ジョブ記憶部１０２ｂ、ジョブ検索部１０２ｃ、記述認証情報記憶部１０２ｄ、１回目読取情報記憶部１０２ｅ、ビットマップデータ生成部１０２ｆ、ビットマップデータ記憶部１０２ｇ、印刷部１０２ｉ、オペパネ表示制御部１０３ａ、第１タイマ１０３ｂ、及び、第２タイマ１０３ｃのそれぞれは、実施例１のものと同一であるのでこれらものの構成についての説明を省略する。
【００５８】
カード操作処理部１０１のＩＤ読取部２０１ｂは、ＩＣカード検出部１０１ａから１回目の通知が入力されると、カードリーダ１１を介してＩＣカード２０のＩＤ記憶部に記憶されているＩＤ番号を読み出す。そして、ＩＤ読取部２０１ｂは、読み出したＩＤ番号を一時ＩＤ記憶部２０１ｅとＩＤ記憶部２０１ｃとに書き込む。
【００５９】
ＩＤ記憶部２０１ｃは、図示しないＲＡＭ内の領域に割り当てられ、ＩＤ読取部２０１ｅが読み取ったＩＤ番号を記憶し、一時ＩＤ記憶部に記憶されているＩＤ番号がジョブ退避制御部２０２ｋにより書き込まれる。
【００６０】
退避ＩＤ記憶部２０１ｄは、ＲＡＭに形成され、ＩＤ記憶部２０１ｃに記憶されているＩＤ番号を退避させるため、ジョブ退避制御部２０２ｋにより書き込まれる。
【００６１】
一時ＩＤ記憶部２０１ｅは、ＩＤ読取部２０１ｂが読み取ったＩＤ番号を一時的に記憶する。
【００６２】
印刷ジョブ処理部１０２の印刷判定部２０２ｈは、実施例１の印刷判定部に有する機能を有し、更に、カード操作処理部１０１のＩＤ記憶部２０１ｃに記憶されているＩＤ番号と、記述認証情報記憶部１０２ｄに記憶されているＩＤ番号とが不一致であると判定した場合には、退避ＩＤ記憶部２０１ｄに記憶されているＩＤ番号を読み出し、記述認証情報記憶部１０２ｄに記憶されているＩＤ番号と、退避ＩＤ記憶部２０１ｄから読み出したＩＤ番号が同じであるか否かを判定する。そして、印刷判定部２０２ｈは、両者が同じであると判定した場合には、退避ビットマップデータ記憶部２０２ｊに記憶されているビットマップデータについての印刷の開始を要求する指示を印刷部２０２ｉに出力する。一方、印刷判定部２０２ｈは、両者が同じでないと判定した場合には、その旨の通知をジョブ退避制御部２０２ｋに出力する。
【００６３】
退避ビットマップデータ記憶部２０２ｊは、ハードディスク装置に形成され、ビットマップデータ記憶部１０２ｇに記憶されているビットマップデータを退避するためのものであって、ジョブ退避制御部２０２ｋによりビットマップデータ記憶部１０２ｇから読み出されたビットマップデータが書き込まれる。
【００６４】
ジョブ退避制御部２０２ｋは、印刷判定部２０２ｈから両者が同じでないと判定した旨の通知が入力された場合には、ビットマップデータ記憶部１０２ｇに記憶されている認証印刷ジョブを形成する印刷ジョブデータのビットマップデータを退避ビットマップデータ記憶部２０２ｊに書き込む。また、ジョブ退避制御部２０２ｋは、ＩＤ記憶部２０１ｃに記憶されているＩＤ番号を読み出し、このＩＤ番号を退避ＩＤ記憶部２０１ｄに書き込む。更に、ジョブ退避制御部２０２ｋは、一時ＩＤ記憶部２０１ｅに記憶されているＩＤ番号を読み出し、このＩＤ番号をＩＤ記憶部２０１ｃに記憶されているＩＤ番号の上に上書きする。
【００６５】
次に、本発明に係る実施例２の画像形成装置の動作を説明する。
【００６６】
図８は、本発明に係る実施例２の画像形成装置の動作を示すフローチャートである。この実施例の画像形成装置１０の動作において、ステップＳ２１における印刷ジョブデータを受信したのち、ステップＳ２５におけるＩＤ番号の読取処理までの動作は、実施例１の画像形成装置１０の動作を説明した図５に示したフローチャート中のステップＳ１からステップＳ５まで処理と同一である。
【００６７】
カード操作処理部１０１のＩＤ読取部２０１ｂは、ＩＤ番号を読み取ると、このＩＤ番号を一時ＩＤ記憶部２０１ｅとＩＤ記憶部２０１ｃに記憶する（ステップＳ２６）。
【００６８】
その後、ステップＳ２７における印刷開始の準備が整ったか否の判定処理からステップＳ２９におけるＩＤ番号の読取処理までの動作は、図５に示したフローチャート中のステップＳ７からステップＳ９まで処理と同一である。
【００６９】
ステップＳ２９において、印刷判定部２０２ｈは、ＩＤ記憶部２０１ｃに記憶されているＩＤ番号と、記述認証情報記憶部１０２ｄに記憶されているＩＤ番号とを読み出すと、ＩＤ記憶部２０１ｃに記憶されているＩＤ番号と、記述認証情報記憶部１０２ｄに記憶されているＩＤ番号が一致するか否かを判定する（ステップＳ３０）。印刷判定部２０２ｈは、両者が一致していると判定した場合には（ステップＳ３０；Ｙ）、ビットマップデータ記憶部１０２ｇに記憶されているビットマップデータについての印刷を要求する指示を印刷部２０２ｉに出力する。
【００７０】
印刷部２０２ｉは、前述の指示が印刷判定部２０２ｈから入力されると、この指示に従い、ビットマップデータ記憶部１０２ｇからビットマップデータを随時読み出し、オペレータにより印刷依頼された印刷を行い（ステップＳ３１）、処理を終了する。
【００７１】
ステップＳ３０において、印刷判定部２０２ｈは、両者が不一致であると判定した場合には（ステップＳ３０；Ｎ）、カード操作処理部１０１の退避ＩＤ記憶部２０１ｄに記憶されているＩＤ番号を読み出し、記述認証情報記憶部１０２ｄに記憶されているＩＤ番号と、退避ＩＤ記憶部２０１ｄから読み出したＩＤ番号が一致するか否かを判定する（ステップＳ３２）。印刷判定部２０２ｈは、両者が一致していると判定した場合には（ステップＳ３２；Ｙ）、退避ビットマップデータ記憶部２０２ｊに記憶されているビットマップデータについての印刷を要求する指示を印刷部２０２ｉに出力する。
【００７２】
印刷部２０２ｉは、前述の指示が印刷判定部２０２ｈから入力されると、この指示に従い、退避ビットマップデータ記憶部２０２ｊからビットマップデータを読み出し、このビットマップデータについての印刷を行い（ステップＳ３３）、処理を終了する。
【００７３】
ステップＳ３２において、印刷判定部２０２ｈは、記述認証情報記憶部１０２ｄに記憶されているＩＤ番号と、退避ＩＤ記憶部２０１ｄから読み出したＩＤ番号が一致していないと判定した場合には（ステップＳ３２；Ｎ）、ジョブ退避制御部２０２ｋに対し、ビットマップデータ記憶部１０２ｇに記憶されているビットマップデータを、退避ビットマップデータ記憶部２０２ｊに退避させ、また、ＩＤ記憶部２０１ｃに記憶されているＩＤ番号を退避ＩＤ記憶部２０１ｄに退避させ、更に、一時ＩＤ記憶部２０１ｅに記憶されているＩＤ番号をＩＤ記憶部２０１ｃに書き込ませるための指示を出力する。
【００７４】
ジョブ退避制御部２０２ｋは、前述の指示が印刷判定部２０２ｈから入力されると、まず、ビットマップデータ記憶部１０２ｇに記憶されているビットマップデータを順次読み出し、このビットマップデータを退避ビットマップデータ記憶部２０２ｊに書き込む（ステップＳ３４）。次に、ジョブ退避制御部２０２ｋは、ＩＤ記憶部２０１ｃに記憶されているＩＤ番号を読み出し、このＩＤ番号を退避ＩＤ記憶部２０１ｄに書き込む（ステップＳ３５）。その後、ジョブ退避制御部２０２ｋは、一時ＩＤ記憶部２０１ｅから一時的に記憶されているＩＤ番号を読み出し、このＩＤ番号をＩＤ記憶部２０１ｃに書き込み（ステップＳ３６）、ステップＳ２８に処理を移行させ、上述したと同様な処理を続行させる。
【００７５】
ステップＳ２７において、印刷判定部２０２ｈが印刷開始の準備が整っていないものと判定した場合には（ステップＳ２７；Ｎ）、これ以降のステップＳ３７及びステップＳ３８の処理については、図５に示したフローチャート中のステップＳ１２及びステップＳ１３の処理と同一である。
【００７６】
また、ステップＳ２８において、ＩＣカード検出部１０１ａが、ＩＣカード２０がカードリーダ１１に装着されていないと判定した場合（ステップＳ２８；Ｎ）、これ以降のステッププＳ３９及びステップＳ４０の処理については、図５に示したフローチャート中のステップＳ１４及びステップＳ１５の処理と同一である。
【００７７】
実施例２によれば、実施例１の画像形成装置１０が有する効果と同様な効果を有しているとともに、更に以下の効果を有している。すなわち、実施例２によれば、印刷部２０２ｉが、印刷判定部２０２ｈにより、記述認証情報記憶部１０２ｄに記憶されているＩＤ番号と、退避ＩＤ記憶部２０１ｄに記憶されているＩＤ番号とが一致すると判定された場合には、退避ビットマップデータ記憶部２０２ｊに記憶されているビットマップデータに基づき基づきオペレータが依頼した印刷を開始するので、印刷を依頼したオペレータ以外の者のＩＤ番号が先にＩＣカード検出部１０１ａに検出されたのち、依頼者のオペレータのＩＣ番号が検知された場合には、ビットマップデータ生成部１０２ｆがジョブ記憶部１０２ｂから印刷ジョブデータを読み出してビットマップデータを生成するという無駄な処理をなくすことができる。これにより、オペレータから依頼された印刷を短時間に実行することができる。
【００７８】
図９は、本発明に係る実施例２の画像形成装置の変形例の概略構成を示す図である。この画像形成装置１０は、図９に示すように、トレイ１３は、印刷された印刷物を貯蔵するものであって、トレイ本体１３１と、トレイカバー１３２と、カバーロック１３３と、端子１３４（図１０（ａ）参照）とを備える。
【００７９】
トレイ本体１３１は、図１０（ａ）に示すように、トレイカバー１３２が覆う上端面が開口し、一方の側端面に設けられるカバーロック１３３の近傍においてトレイカバー１３２を閉じるための切欠部１３１ａを有している。また、トレイ本体１３１は、カバーロック１３３が設けられた側端面に対向する側端面の上端部に位置する箇所に、トレイカバー１３２の一端部を支えるための支持部材（図示せず）を装着する貫通孔１３１ｂを有している。更に、トレイ本体１３１は、カバーロック１３３が設けられた側端面に対向する側端面の上端部に、図１０（ｂ）に示すように、印刷された印刷部が供給されるための排紙口１３１ｃを有している。
【００８０】
トレイカバー１３２は、図１０（ａ）に示すように、カバーロック１３３の対向するトレイ本体１３１の側端面の上端部に設けられた支持部材を支点として開閉するカバーであって、カバーロック１３３によってトレイ本体１３１に固定される。
【００８１】
カバーロック１３３は、端子１３４から入力された電気信号に従って、トレイカバー１３２をトレイ本体１３１にロックすることで固定し、また、アンロックすることでトレイカバー１３２を開放する。
【００８２】
端子１３４は、トレイカバー１３２をトレイ本体１３１に固定又は開放するための電気信号が入力される端子である。
【００８３】
また、この画像形成装置１０は、図１１に示すように、実施例２の画像形成装置１０のシステム処理部１０３にアラーム発生部３０３ｄと、ロック制御部３０３ｅと、第３タイマ３０３ｆを更に備えた構成になっている。更に、カード操作処理部１０１のＩＣカード検出部３０１ａ及びＩＤ読取部３０１ｂ、並びに、印刷ジョブ処理部１０２の印刷判定部３０２ｈ及び印刷部３０２ｉは、実施例２の画像形成装置１０のものが有する機能以外に更に下記に示す機能を有する。
【００８４】
カード操作処理部１０１のＩＣカード検出部３０１ａは、実施例２のものに有する機能以外に更に、オペレータがカードリーダ１１にＩＣカード２０が装着されたことを検出すると、第３タイマ３０３ｆに対して時間の計時を開始させる指示を出力するとともに、ＩＤ読取部３０１ｂに対してＩＣカード２０の読み取りを要求する指示を出力するという機能を有している。
【００８５】
ＩＤ読取部３０１ｂは、実施例２のものに有する機能以外に更に、ＩＣカード検出部３０１ａから前述の指示が入力されると、ＩＣカード２０に記憶されているＩＤ番号を読み出し、一時ＩＤ記憶部２０１ｅに記憶するという機能を有している。
【００８６】
印刷判定部３０２ｈは、実施例２のものに有する機能以外に更に、印刷部３０２ｉに対して、印刷の開始を要求する指示を出力したのち、トレイカバー１３２をトレイ本体１３１に固定するための電気信号を端子１３４に出力させる指示をロック制御部３０３ｅに出力するという機能を有している。
【００８７】
また、印刷判定部３０２ｈは、印刷部３０２ｉから印刷が終了した旨の通知が入力されると、一時ＩＤ記憶部２０１ｅに記憶されているＩＤ番号と、記述認証情報記憶部１０２ｄに記憶されているＩＤ番号とを読み出し、これら読み出したＩＤ番号が一致した場合には、トレイカバー１３２をトレイ本体１３１から開放するための電気信号を端子１３４に出力させる指示をロック制御部３０３ｅに出力するという機能を有している。
【００８８】
印刷部３０２ｉは、実施例２のものに有する機能以外に更に、印刷を終了すると印刷が終了した旨の通知を印刷判定部３０２ｈに出力するという機能を有する。
【００８９】
オペパネ表示制御部３０３ａは、実施例２のものが有する機能以外に更に、第３タイマ３０３ｆからタイムアウトした旨の通知が入力されると、図１２に示ように、トレイ１３に貯蔵されている印刷物を取り出すことをオペレータに知らせる用紙取出要求表示画面をオペレーションパネル１２に表示させるという機能を有する。
【００９０】
アラーム発生部３０３ｄは、アラーム音を発生するスピーカであって、第３タイマ３０３ｆからタイムアウトした旨の通知が入力されると、トレイ１３に排紙された印刷物を取り出すことをオペレータに知らせるアラームを音声出力するという機能を有する。
【００９１】
ロック制御部３０３ｅは、トレイカバー１３２をトレイ本体１３１に固定するための電気信号を端子１３４に出力するための指示を印刷判定部３０２ｈから入力されると、この信号を端子１３４に出力する。また、ロック制御部３０３ｅは、トレイカバー１３２をトレイ本体１３１から開放させる電気信号を端子１３４に出力させる指示が印刷判定部３０２ｈから入力されると、この信号を端子１３４に出力するという機能を有する。
【００９２】
第３タイマ３０３ｆは、ＩＣカード検出部３０１ａから時間の計時を開始させる指示が入力されると、時間を計時し始め、予め決められた時間を計時したのち、タイムアウトした旨の通知をアラーム発生部３０３ｄ及びオペパネ表示制御部３０３ａに出力するという機能を有する。
【００９３】
この実施例の画像形成装置１０は、実施例２の画像形成装置が有する効果と同様な効果を有するとともに、ＩＣカード検出部３０１ａにより、認証印刷が開始したのちカードリーダ１１にＩＣカードが装着されたことが検出されたとき、ロック制御部３０３ｅがトレイ１３の端子１３４に対してトレイカバー１３２をトレイ本体１３１に固定させる電気信号を出力し、かつ、認証印刷を終了すると、ロック制御部３０３ｅがトレイ１３の端子１３４に対してトレイカバー１３２をトレイ本体１３１から開放する電気信号を端子１３４に出力するので、認証印刷中にはトレイカバー１３２がトレイ本体１３１に常に固定された状態になっている。このため、オペレータ以外の第３者により不正に印刷物が持ち去れるということを防止することができる。
【００９４】
図１３は、本発明に係る実施例２の画像形成装置の他の変形例の概略構成図である。この画像形成装置１０は、上述した変形例の画像形成装置１０を構成する部分のうち、カードリーダ１１以外同一な構成になっている。このカードリーダ１１は、図１４（ａ）に示すように、ＩＣカード２０に記憶されているＩＤ番号を読み取るＩＤ番号読取面１１１が斜面で形成され、このＩＤ番号読取面１１１にＩＣカード２０が接触された場合に、ＩＣカード２０に記憶されているＩＣ番号を無線により読み出すように構成されている。
【００９５】
この斜面を形成するＩＤ番号読取面１１１は、図１４（ｂ）に示すように、水平方向に対してなす角度θとして、オペレータがＩＣカード２０から手を離したとき、ＩＣカード２０がＩＤ番号読取面１１１に停止することができない角度、例えば４５度〜９０度の範囲を有している。
【００９６】
この変形例の実施例によれば、カードリーダ１１におけるＩＣカード２０を読み取るＩＤ番号読取面１１１が、オペレータがＩＣカード２０から手を離したときにＩＣカード２０がこのＩＤ番号読取面１１１に停止することができない角度で形成されているので、認証印刷する際にオペレータが装置から離れることができなくなる。このため、オペレータが装置に常駐することになり、オペレータ以外の第３者により印刷物が不正に持ち去られることを防止することができる。
【００９７】
上述した実施例では、認証情報としてＩＣカード２０に記憶されているＩＤ番号を使用しているが、これ以外として、指紋、静脈、虹彩を利用してもよい。ただし、指紋を認証情報として使用する場合には指紋検出装置が必要であり、また、静脈を認証情報とする場合には静脈形状判定装置が必要であり、また、虹彩を認証情報とする場合には虹彩検出装置が必要である。
【００９８】
また、上述した実施例では、画像形成装置を電子写真プリンタで説明したが、インクジェットプリンタ、サーマルプリンタ、ファクシミリ装置、複写機においても同様に利用可能である。
【図面の簡単な説明】
【００９９】
【図１】本発明に係る実施例１の画像形成装置の構成を示すブロック図である。
【図２】実施例１の画像形成装置が使用されているシステムを示す図である。
【図３】（ａ）オンライン表示画面の一例を示す図であり、（ｂ）ＩＣカード読取要求表示画面の一例を示す図であり、（ｃ）ジョブ未受信表示画面の一例を示す図である。
【図４】図２中のＩＣカードの構成を示すブロック図である。
【図５】本発明に係る実施例１の画像形成装置の動作を示すフローチャートである。
【図６】本発明に係る実施例２の画像形成装置の構成を示すブロック図である。
【図７】実施例２の画像形成装置が使用されているシステムを示す図である。
【図８】本発明に係る実施例２の画像形成装置の動作を示すフローチャートである。
【図９】本発明に係る実施例２の画像形成装置の変形例の概略構成を示す図である。
【図１０】（ａ）排紙トレイの側面図であり、（ｂ）トレイ本体の射視図である。
【図１１】図９中の画像形成装置の構成を示すブロック図である。
【図１２】用紙取出要求表示画面の一例を示す図である。
【図１３】本発明に係る実施例２の画像形成装置の他の変形例の概略構成図である。
【図１４】図１３中のカードリーダの形状を示す図である。
【符号の説明】
【０１００】
１０  画像形成装置
１１  カードリーダ
１１１  ＩＤ番号読取面
１２  オペレーションパネル
１３  トレイ
１３１  トレイ本体
１３２  トレイカバー
１３３  カバーロック
１３４  端子
１０１  カード操作処理部
１０１ａ、３０１ａ  ＩＣカード検出部
１０１ｂ、３０１ｂ  ＩＤ読取部
１０１ｃ、２０１ｃ  ＩＤ記憶部
２０１ｄ  退避ＩＤ記憶部
２０１ｅ  一時ＩＤ記憶部
１０２  印刷ジョブ処理部
１０２ａ  ジョブ受信部
１０２ｂ  ジョブ記憶部
１０２ｃ  ジョブ検索部
１０２ｄ  記述認証情報記憶部
１０２ｅ  １回目読取情報記憶部
１０２ｆ  ビットマップデータ生成部
１０２ｇ  ビットマップデータ記憶部
１０２ｈ、２０２ｈ、３０２ｈ  印刷判定部
１０２ｉ、２０２ｉ、３０２ｉ  印刷部
２０２ｊ  退避ビットマップデータ記憶部
２０２ｋ  ジョブ退避制御部
１０３  システム処理部
１０３ａ、３０３ａ  オペパネ表示制御部
１０３ｂ  第１タイマ
１０３ｃ  第２タイマ
３０３ｄ  アラーム発生部
３０３ｅ  ロック制御部
３０３ｆ  第３タイマ
２０  ＩＣカード
２０１  ＩＤ記憶部
２０２  コントローラ
２０３  アンテナ
３０  パーソナルコンピュータ（ＰＣ）
５０  ＬＡＮ
【図１】
2008246869.tif 000003
【図２】
2008246869.tif 000004
【図３】
2008246869.tif 000005
【図４】
2008246869.tif 000006
【図５】
2008246869.tif 000007
【図６】
2008246869.tif 000008
【図７】
2008246869.tif 000009
【図８】
2008246869.tif 000010
【図９】
2008246869.tif 000011
【図１０】
2008246869.tif 000012
【図１１】
2008246869.tif 000013
【図１２】
2008246869.tif 000014
【図１３】
2008246869.tif 000015
【図１４】
2008246869.tif 000016